(57)【要約】【課題】電気掃除機の熱による抗菌は、掃除中には有効であるが使用していないときにカビや細菌の繁殖を抑制できない。また、抗菌処理は抗菌剤と接触するカビや細菌には有効であるが、塵埃に潜む微生物には有効ではない。【解決手段】集塵室内に、光電子発生材１と光電子発生材１に紫外線を照射するための光源４とからなるマイナス粒子発生装置を備え、マイナス粒子発生装置の光源４は、２５４ｎｍ以下の波長域の紫外線を照射する電気掃除機とした。これにより、塵埃に付着する微生物を紫外線と多量のマイナス粒子で除菌できる。また、集塵室内でオゾンが生成され、このオゾンは、微生物と臭気物質に作用し、死滅と臭気の低減を行うことが可能になる。紫外線は、直接塵埃表面に付着する微生物のＤＮＡに作用して死滅させることが可能になる。【選択図】　図１
2004049673.tif 000002
【特許請求の範囲】
【請求項１】
集塵室内に、光電子発生材と前記光電子発生材に紫外線を照射するための光源とからなるマイナス粒子発生装置を備え、マイナス粒子発生装置の光源は、２５４ｎｍ以下の波長域の紫外線を照射する電気掃除機。
【請求項２】
集塵室内に、光電子発生材と前記光電子発生材に紫外線を照射するための光源からなるマイナス粒子発生装置を備え、マイナス粒子発生装置の光源は点滅する電気掃除機。
【請求項３】
マイナス粒子発生装置の光源は点滅する請求項１記載の電気掃除機。
【請求項４】
集塵室内に、光電子発生材と前記光電子発生材に紫外線を照射するための光源とからなるマイナス粒子発生装置を備え、マイナス粒子発生装置の光源は、運転終了後作動させる電気掃除機。
【請求項５】
集塵室内に、光電子発生材と前記光電子発生材に紫外線を照射するための光源とからなるマイナス粒子発生装置を備え、マイナス粒子発生装置の光源は、充電部品からエネルギを供給される電気掃除機。
【請求項６】
集塵室内に、光電子発生材と前記光電子発生材に紫外線を照射するための光源とからなるマイナス粒子発生装置を備え、マイナス粒子発生装置の光源の作動状態を示す表示部を設けた電気掃除機。
【請求項７】
集塵室内に設けられた光電子発生材と前記光電子発生材に紫外線を照射するための光源とからなるマイナス粒子発生装置と、除菌や脱臭等の処置を示すスイッチとを備え、前記スイッチを使用者が選択することによって、マイナス粒子発生装置を作動させる電気掃除機。
【請求項８】
集塵室内に、光電子発生材と前記光電子発生材に紫外線を照射するための光源とからなるマイナス粒子発生装置を備え、集塵室などが開けられると、マイナス粒子発生装置の光源の作動を停止させる電気掃除機。
【発明の詳細な説明】
【０００１】
【発明の属する技術分野】
本発明は、掃除機内の除菌および脱臭技術に関するものである。特に金属への紫外線照射により発生する光電子を利用したマイナス粒子発生装置を組み込んだ掃除機に関するものである。
【０００２】
【従来の技術】
従来、掃除機の除菌技術はモータ排熱を利用して抗菌する方式やフィルターやゴミ袋を抗菌する技術が用いられている。熱による抗菌は、掃除中には有効であるが使用していないときにカビや細菌の繁殖を抑制できない。また、抗菌処理は抗菌剤と接触するカビや細菌には有効であるが、塵埃に潜む微生物には有効ではない。微生物が繁殖し、これが運転と塵埃内の臭気の一部として室内に拡散する。
【０００３】
一方、脱臭は活性炭フィルターによって臭気を吸着する方法や、排気を再循環し、臭気が排気口から出ないようにする方法がある。前者は、圧力損失の関係で風量に対してフィルター量を十分に取れないために、脱臭効果が十分でない。後者は本質的に臭気対策となっていないし、吸塵性能は低下してしまう。
【０００４】
【発明が解決しようとする課題】
本発明は、前記従来の課題を解決するもので、運転終了後にマイナス粒子発生装置から発生するマイナス粒子量とオゾンによって集塵室内の除菌と脱臭を実現するものである。
【０００５】
【課題を解決するための手段】
前記従来技術の課題を解決するために、本発明のマイナス粒子発生装置は、オゾンによる除菌と脱臭をするために、２５４ｎｍ以下の波長域の紫外線を照射する高原と電気的に接地した光電子発生材とからなることを特徴とする。
【０００６】
本発明によれば、光電子発生材に紫外線を照射することで、光電効果が起こることにより、光電子が発生する。装置に入った空気中の分子や微粒子が、光電子を捕獲することによりマイナス粒子となり、装置から出て空気中に放出される。
一方、光電子を放出した光電子発生材は、光電子の放出箇所に正孔ができるが、導電性基材を電気的に接地することにより、すぐに正孔には電子が補充され電気的に中和される。すなわち、放出された光電子が正孔に戻りにくくなるため、発生するマイナス粒子量が減少することなく安定して発生することができる。
【０００７】
一方、２５４ｎｍ以下の波長域の紫外線を照射するので、オゾンが生成される。紫外線は、直接塵埃表面に付着する微生物のＤＮＡに作用して死滅させる。また、大量のマイナス粒子とオゾンは塵埃内部の微生物を死滅させるともに臭気物質に作用し臭気を低減する。
【０００８】
【発明の実施の形態】
請求項１に記載した発明は、集塵室内に、光電子発生材と前記光電子発生材に紫外線を照射するための光源とからなるマイナス粒子発生装置を備え、マイナス粒子発生装置の光源は、２５４ｎｍ以下の波長域の紫外線を照射する電気掃除機とした。
【０００９】
これにより、塵埃に付着する微生物を紫外線と多量のマイナス粒子で除菌する。また、２５４ｎｍ以下の波長域の紫外線を照射するために、集塵室内でオゾンが生成される。このオゾンは、微生物と臭気物質に作用し、死滅と臭気の低減を行う。紫外線は、直接塵埃表面に付着する微生物のＤＮＡに作用して死滅させる。
【００１０】
請求項２に記載した発明は、集塵室内に、光電子発生材と前記光電子発生材に紫外線を照射するための光源からなるマイナス粒子発生装置を備え、マイナス粒子発生装置の光源は、点滅する電気掃除機とした。
【００１１】
これにより、塵埃に付着する微生物を紫外線と多量のマイナス粒子で除菌する。また、集塵室内は密閉された小空間であるので、長時間光源を作動させる必要はなく、数秒の作動を数回繰り返すことによって、除菌や脱臭ができる。少ない作動エネルギですむため、掃除作業の終了後、コンデンサー程度の充電部品からのエネルギで集塵室内の除菌や脱臭が可能となる。
【００１２】
請求項３に記載した発明は、請求項１記載の発明に加えて、マイナス粒子発生装置の光源は、点滅する。集塵室内は密閉された小空間であるので、長時間光源を作動させる必要はなく、数秒の作動を数回繰り返すことによって、除菌や脱臭ができる。少ない作動エネルギですむため、掃除作業の終了後、コンデンサー程度の充電部品からのエネルギで集塵室内の除菌や脱臭が可能となる。
【００１３】
請求項４に記載した発明は、マイナス粒子発生装置の光源は、運転終了後作動させるものであり、これによって掃除により捕集された微生物や臭気物質を運転終了後に死滅させ、臭気の低減が行える。この結果、次回の掃除の際に臭気や微生物の排出が生じない。
【００１４】
請求項５記載した発明は、マイナス粒子発生装置の光源は、充電部品からエネルギを供給されるので、運転終了商用電源から電気エネルギが供給されなくてもマイナス粒子発生装置の作動ができる。
【００１５】
請求項６に記載した発明は、マイナス粒子発生装置の光源の作動状態を示す表示部を設けているので、使用者は不用意に集塵室を空けることないのでオゾンの暴露を受けることない。
【００１６】
請求項７に記載した発明は、除菌や脱臭等の処置を示すスイッチを有し、このスイッチを使用者が選択することによって、マイナス粒子発生装置を作動させるので、必要に応じて除菌や脱臭が行える。
【００１７】
請求項８に記載した発明は、集塵室などが開けられと、マイナス粒子発生装置の光源の作動を停止させるものであり、これによって使用者は紫外線やオゾンの暴露を受けることない。
【００１８】
【実施例】
以下、本発明の実施例について説明する。
【００１９】
（実施例１）
図１は実施例１のマイナス粒子発生装置を組み込んだ掃除機の集塵室の断面図である。光電子発生材１が容器１０の内部に設置されている。光電子発生材１は導電性基材２の上に設置し、電気的な接地３が取り付けられている。本実施例では、前記光電子発生材１は、金を使用し、導電性基材２はステンレス材を用いている。光源４は、波長域が２５４ｎｍ以下の紫外線を照射する紫外線ランプである。紫外線によって光電子発生材１から光電子が発生し、送風機５によって誘起された空気は、空気入口６から入り、集塵フィルター７、および吸着材８を通る。空気中の水や酸素等の分子または埃等の微粒子に、光電子が捕獲されてマイナス粒子として空気出口９から装置外に放出される。
【００２０】
１１は制御回路であり、電気的な接地の接続、断続の制御や、光源４の間欠運転や送風機５を制御する。制御回路１１は、空気導入部１２は、風路１３内の空気のみが容器１０に導入されるように、風路１３内に臨ませている。１４は光源４の運転状態を示す表示部である。１５は、除菌および脱臭の運転用のスイッチである。制御部１１は、スイッチ１５が入ると、表示部１４を点灯させ、制御部１１内のコンデンサーによって光源４を点滅させる。この場合、運転終了後、スイッチ１５とは関係なく光源４を作動させてよい。
【００２１】
次に、作動状態を説明する。光電子発生材１は仕事関数が小さく、紫外線を照射したときに金属表面から効率よく光電子が発生するため、マイナス粒子を効率よく発生させるのに適している。また本実施例では、電気的な接地３を光電子発生材１に取り付けている。光電効果により光電子が放出された光電子発生材１は、光電子の放出箇所に正孔ができ、光電子と正孔との間に電気的引力が働き、発生した光電子が光電子発生材１に吸着される。そこで光電子発生材１を電気的に接地することにより、正孔には電子が補充されるため、放出された光電子が正孔に戻ることがないので、マイナス粒子を減少させることなく発生させることができる。
【００２２】
しかも、電気的な接地３は、制御回路１１によって断続させることができるので、光源４の光量や送風量を制御しなくても、マイナス粒子量を制御できる。このため、紫外線の照射強度、すなわちカビや細菌の除菌性能を低下させることなく、マイナス粒子量を変えることができる。空気導入部１２は、風路１３内の空気を効率的に容器１０に導入できるので、風路１３に浮遊するカビや細菌を有効に除菌でき、風路１３内にカビや細菌の繁殖を抑制することができる。
【００２３】
また、紫外線は塵埃表面の微生物のＤＮＡに作用して、死滅させる。２５４ｎｍ以下の紫外線は空気中の酸素からオゾンを生成し、このオゾンが塵埃内部の微生物を死滅させ、臭気物質から生ずる臭気を低減する。
【００２４】
【発明の効果】
以上のように本発明の請求項１から８に記載の発明は、掃除終了後、光電子発生材に紫外線を照射して起こる光電効果と除菌効果とオゾン生成を利用し、発生する光電子を用いたマイナス粒子を掃除機内で発生させ、紫外線を光電子発生材に照射するので、この空間や塵埃内に含まれるカビや細菌の除菌や脱臭ができる。すなわち、掃除機内を衛生的にすることができる。光電子が放出された光電子発生材は、光電子の放出箇所に正孔ができるが、光電子発生材を電気的に接地することにより、すぐに正孔には電子が補充される。すなわち、放出された光電子やマイナス粒子が正孔に戻ることがないため、マイナス粒子を常に減少させることなく発生することができる。
【図面の簡単な説明】
【図１】本発明の実施例１におけるマイナス粒子発生装置の構成を示す要部断面図
【符号の説明】
１　光電子発生材
２　導電性基材
３　電気的な接地
４　光源
５　送風機
６　空気入口
７　集塵フィルター
８　吸着材
９　空気出口
１０　容器
１１　制御回路
１２　空気導入部
１３　風路
１４　表示部
１５　スイッチ
【図１】
2004049673.tif 000003